(57)【要約】【課題】  伝送効率を改善したい。【解決手段】  パイロット挿入部７８は、複数のサブキャリアをそれぞれ使用すべきＬｅｇａｃｙプリアンブル、Ｌｅｇａｃｙシグナル、ＭＩＭＯシグナルの後方に、ＭＩＭＯプリアンブル、データを配置するパケット信号のうち、少なくともＬｅｇａｃｙプリアンブルとデータに対して、一部のサブキャリアに既知信号を挿入する。パイロット挿入部７８は、複数のシンボルに配置されたＭＩＭＯシグナルのサブキャリアの数が、Ｌｅｇａｃｙシグナルのうちの非既知信号に対応したサブキャリアの数よりも大きくなるように、Ｌｅｇａｃｙシグナルのうちの一部のサブキャリアに既知信号を挿入する。【選択図】  図９
2006319473.tif 000002
【特許請求の範囲】
【請求項１】
複数のサブキャリアをそれぞれ使用すべき第１プリアンブル、第１制御信号、第２制御信号の後方に、前記第２制御信号でのサブキャリアの数と異なった数のサブキャリアをそれぞれ使用すべき第２プリアンブル、データであって、かつ前記第２制御信号によって制御すべき第２プリアンブル、データを配置するパケット信号のうち、少なくとも第１制御信号とデータに対して、一部のサブキャリアに既知信号を挿入する挿入部と、
前記挿入部によって既知信号が挿入された第１制御信号とデータを含めることによって、パケット信号を生成する生成部とを備え、
前記挿入部は、第２制御信号のうちの非既知信号に対応したサブキャリアの数が、第１制御信号のうちの非既知信号に対応したサブキャリアの数よりも大きくなるように、第１制御信号のうちの一部のサブキャリアに既知信号を挿入することを特徴とする送信装置。
【請求項２】
前記生成部によって生成されるパケット信号のうち、第２プリアンブル、データにて使用されるサブキャリアの数は、第１プリアンブル、第１制御信号、第２制御信号にて使用されるサブキャリアの数よりも大きくなるように規定されており、
前記挿入部は、第２制御信号のうちの非既知信号に対応したサブキャリアの数が、データのうちの非既知信号に対応したサブキャリアの数と等しくなるように、データのうちの一部のサブキャリアに既知信号を挿入することを特徴とする請求項１に記載の送信装置。
【請求項３】
前記第１制御信号のうち、非既知信号に対してインターリーブを実行するインターリーブ部とをさらに備え、
前記インターリーブ部は、第２制御信号での非既知信号のうち、第１制御信号での非既知信号に対応した部分に対して、インターリーブを実行し、かつ第２制御信号での非既知信号のうち、第１制御信号での非既知信号に対応していない部分に対して、第１制御信号のうちの既知信号に対応すべきサブキャリアへの配置を実行することを特徴とする請求項１に記載の送信装置。
【請求項４】
前記データのうち、非既知信号に対してインターリーブを実行するインターリーブ部とをさらに備え、
前記インターリーブ部は、第２制御信号での非既知信号に対して、インターリーブを実行することを特徴とする請求項２に記載の送信装置。
【請求項５】
前記生成部は、パケット信号を生成する際に、第２制御信号を複数のシンボルに配置し、  前記挿入部は、第２制御信号のうちの非既知信号として、複数のシンボルに配置された第２制御信号のうち、少なくとも後部のシンボルのうちの非既知信号を処理の対象にすることを特徴とする請求項１または２に記載の送信装置。
【請求項６】
前記生成部は、パケット信号を生成する際に、第２制御信号を複数のシンボルに配置し、  前記インターリーブ部は、第２制御信号での非既知信号として、複数のシンボルに配置された第２制御信号のうち、少なくとも後部のシンボルでの非既知信号を処理の対象にすることを特徴とする請求項３または４に記載の送信装置。
【請求項７】
前記挿入部は、複数のシンボルに配置された第２制御信号のうち、前部のシンボルにおいて、第１制御信号に挿入すべき既知信号と異なった既知信号を挿入することを特徴とする請求項５または６のいずれかに記載の送信装置。
【請求項８】
複数のサブキャリアをそれぞれ使用すべき第１プリアンブル、第１制御信号、第２制御信号の後方に、前記第２制御信号でのサブキャリアの数と異なった数のサブキャリアをそれぞれ使用すべき第２プリアンブル、データであって、かつ前記第２制御信号によって制御される第２プリアンブル、データを配置するパケット信号を受信する受信部と、
前記受信部において受信したパケット信号のうち、少なくとも第１制御信号とデータに挿入された既知信号を抽出する抽出部と、
前記抽出部によって既知信号が抽出された第１制御信号の非既知信号に対して、デインターリーブを実行するデインターリーブ部とを備え、
前記受信部において受信したパケットのうちの第２制御信号において、非既知信号に対応したサブキャリアの数が、第１制御信号のうちの非既知信号に対応したサブキャリアの数よりも大きくなるように規定されており、
前記デインターリーブ部は、第２制御信号での非既知信号のうち、第１制御信号での非既知信号に対応した部分に対して、デインターリーブを実行し、かつ第２制御信号での非既知信号のうち、第１制御信号での非既知信号に対応していない部分に対して、デインターリーブを実行した部分との合成を実行することを特徴とする受信装置。
【請求項９】
複数のサブキャリアをそれぞれ使用すべき第１プリアンブル、第１制御信号、第２制御信号の後方に、前記第２制御信号でのサブキャリアの数よりも大きい数のサブキャリアをそれぞれ使用すべき第２プリアンブル、データであって、かつ前記第２制御信号によって制御される第２プリアンブル、データを配置するパケット信号を受信する受信部と、
前記受信部において受信したパケット信号のうち、少なくとも第１制御信号とデータに挿入された既知信号を抽出する抽出部と、
前記抽出部によって既知信号が抽出されたデータの非既知信号に対して、デインターリーブを実行するデインターリーブ部とを備え、
前記受信部において受信したパケットのうちの第２制御信号において、非既知信号に対応したサブキャリアの数が、データのうちの非既知信号に対応したサブキャリアの数と等しくなるように規定されており、
前記デインターリーブ部は、第２制御信号での非既知信号に対して、デインターリーブを実行することを特徴とする受信装置。
【請求項１０】
複数のサブキャリアをそれぞれ使用すべき第１プリアンブル、第１制御信号、第２制御信号の後方に、前記第２制御信号でのサブキャリアの数と異なった数のサブキャリアをそれぞれ使用すべき第２プリアンブル、データであって、かつ前記第２制御信号によって制御すべき第２プリアンブル、データを配置するパケット信号のうち、少なくとも第１制御信号とデータに対して、一部のサブキャリアに既知信号を挿入することによって、パケット信号を生成する送信方法であって、
複数のシンボルに配置された第２制御信号のうちの非既知信号に対応したサブキャリアの数が、第１制御信号のうちの非既知信号に対応したサブキャリアの数よりも大きくなるように、第１制御信号のうちの一部のサブキャリアに既知信号を挿入することを特徴とする送信方法。
【請求項１１】
複数のサブキャリアをそれぞれ使用すべき第１プリアンブル、第１制御信号、第２制御信号の後方に、前記第２制御信号でのサブキャリアの数と異なった数のサブキャリアをそれぞれ使用すべき第２プリアンブル、データであって、かつ前記第２制御信号によって制御される第２プリアンブル、データを配置するパケット信号を受信するステップと、
受信したパケット信号のうち、少なくとも第１制御信号とデータに挿入された既知信号を抽出し、既知信号が抽出された第１制御信号の非既知信号に対して、デインターリーブを実行するステップとを備え、
前記受信するステップにおいて受信したパケットのうちの第２制御信号において、非既知信号に対応したサブキャリアの数が、第１制御信号のうちの非既知信号に対応したサブキャリアの数よりも大きくなるように規定されており、
前記デインターリーブを実行するステップは、第２制御信号での非既知信号のうち、第１制御信号での非既知信号に対応した部分に対して、デインターリーブを実行し、かつ第２制御信号での非既知信号のうち、第１制御信号での非既知信号に対応していない部分に対して、デインターリーブを実行した部分との合成を実行することを特徴とする受信方法。
【請求項１２】
複数のサブキャリアをそれぞれ使用すべき第１プリアンブル、第１制御信号、第２制御信号の後方に、前記第２制御信号でのサブキャリアの数よりも大きい数のサブキャリアをそれぞれ使用すべき第２プリアンブル、データであって、かつ前記第２制御信号によって制御される第２プリアンブル、データを配置するパケット信号を受信するステップと、
受信したパケット信号のうち、少なくとも第１制御信号とデータに挿入された既知信号を抽出し、既知信号が抽出されたデータの非既知信号に対して、デインターリーブを実行するステップとを備え、
前記受信するステップにおいて受信したパケットのうちの第２制御信号において、非既知信号に対応したサブキャリアの数が、データのうちの非既知信号に対応したサブキャリアの数と等しくなるように規定されており、
前記デインターリーブを実行するステップは、第２制御信号での非既知信号に対して、デインターリーブを実行することを特徴とする受信方法。
【請求項１３】
複数のサブキャリアをそれぞれ使用すべき第１プリアンブル、第１制御信号、第２制御信号の後方に、前記第２制御信号でのサブキャリアの数と異なった数のサブキャリアをそれぞれ使用すべき第２プリアンブル、データであって、かつ前記第２制御信号によって制御すべき第２プリアンブル、データを配置するパケット信号のうち、前記第１制御信号の非既知信号に対してインターリーブを実行しつつ、少なくとも第１制御信号とデータに対して、一部のサブキャリアに既知信号を挿入することによって、パケット信号を生成する送信装置と、
受信したパケット信号のうち、少なくとも第１制御信号とデータに挿入された既知信号を抽出し、既知信号が抽出された第１制御信号の非既知信号に対して、デインターリーブを実行する受信装置とを備え、
前記送信装置は、第２制御信号のうちの非既知信号に対応したサブキャリアの数が、第１制御信号のうちの非既知信号に対応したサブキャリアの数よりも大きくなるように、第１制御信号のうちの一部のサブキャリアに既知信号を挿入する手段と、第２制御信号での非既知信号のうち、第１制御信号での非既知信号に対応した部分に対して、インターリーブを実行しつつ、第２制御信号での非既知信号のうち、第１制御信号での非既知信号に対応していない部分に対して、第１制御信号のうちの既知信号に対応すべきサブキャリアへの配置を実行する手段とを含み、
前記受信装置は、第２制御信号での非既知信号のうち、第１制御信号での非既知信号に対応した部分に対して、デインターリーブを実行し、かつ第２制御信号での非既知信号のうち、第１制御信号での非既知信号に対応していない部分に対して、デインターリーブを実行した部分との合成を実行することを特徴とする通信システム。
【請求項１４】
複数のサブキャリアをそれぞれ使用すべき第１プリアンブル、第１制御信号、第２制御信号の後方に、前記第２制御信号でのサブキャリアの数よりも大きい数のサブキャリアをそれぞれ使用すべき第２プリアンブル、データであって、かつ前記第２制御信号によって制御すべき第２プリアンブル、データを配置するパケット信号のうち、前記データの非既知信号に対してインターリーブを実行しつつ、少なくとも第１制御信号とデータに対して、一部のサブキャリアに既知信号を挿入することによって、パケット信号を生成する送信装置と、
受信したパケット信号のうち、少なくとも第１制御信号とデータに挿入された既知信号を抽出し、既知信号が抽出されたデータの非既知信号に対して、デインターリーブを実行する受信装置とを備え、
前記送信装置は、第２制御信号のうちの非既知信号に対応したサブキャリアの数と等しくなるように、データのうちの一部のサブキャリアに既知信号を挿入する手段と、第２制御信号での非既知信号に対して、インターリーブを実行する手段とを含み、
前記受信装置は、第２制御信号での非既知信号に対して、デインターリーブを実行することを特徴とする通信システム。
【発明の詳細な説明】
【技術分野】
【０００１】
本発明は、送信技術および受信技術に関し、特に複数のアンテナから信号を送信し、また複数のアンテナによって信号を受信する送信方法および受信方法ならびにそれらを利用した送信装置、受信装置および通信システムに関する。
【背景技術】
【０００２】
高速なデータ伝送を可能にしつつ、マルチパス環境下に強い通信方式として、マルチキャリア方式のひとつであるＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式がある。このＯＦＤＭ変調方式は、無線ＬＡＮ（Ｌｏｃａｌ  Ａｒｅａ  Ｎｅｔｗｏｒｋ）の標準化規格であるＩＥＥＥ８０２．１１ａ，ｇやＨＩＰＥＲＬＡＮ／２に適用されている。このような無線ＬＡＮにおけるパケット信号は、一般的に時間と共に変動する伝送路環境を介して伝送され、かつ周波数選択性フェージングの影響を受けるので、受信装置は一般的に伝送路推定を動的に実行する。
【０００３】
受信装置が伝送路推定を実行するために、パケット信号内に、２種類の既知信号が設けられている。ひとつは、パケット信号の先頭部分において、すべてのキャリアに対して設けられた既知信号であり、いわゆるプリアンブルやトレーニング信号といわれるものである。もうひとつは、パケット信号のデータ区間中に一部のキャリアに対して設けられた既知信号であり、いわゆるパイロット信号といわれるものである（例えば、非特許文献１参照。）。
【非特許文献１】Ｓｉｎｅｍ  Ｃｏｌｅｒｉ，Ｍｕｓｔａｆａ  Ｅｒｇｅｎ，Ａｎｕｊ  Ｐｕｒｉ，  ａｎｄ  Ａｈｍａｄ  Ｂａｈａｉ，"Ｃｈａｎｎｅｌ  Ｅｓｔｉｍａｔｉｏｎ  Ｔｅｃｈｎｉｑｕｅｓ  Ｂａｓｅｄ  ｏｎ  Ｐｉｌｏｔ  Ａｒｒａｎｇｅｍｅｎｔ  ｉｎ  ＯＦＤＭ  Ｓｙｓｔｅｍｓ"，ＩＥＥＥ  Ｔｒａｎｓａｃｔｉｏｎｓ  ｏｎ  ｂｒｏａｄｃａｓｔｉｎｇ，ｖｏｌ．４８，Ｎｏ．３，ｐｐ．２２３−２２９，Ｓｅｐｔ．２００２．
【発明の開示】
【発明が解決しようとする課題】
【０００４】
ワイヤレス通信において、周波数資源を有効利用するための技術のひとつが、アダプティブアレイアンテナ技術である。アダプティブアレイアンテナ技術は、複数のアンテナのそれぞれにおいて、処理対象の信号の振幅と位相を制御することによって、アンテナの指向性パターンを制御する。このようなアダプティブアレイアンテナ技術を利用して、データレートを高速化するための技術のひとつが、ＭＩＭＯ（Ｍｕｌｔｉｐｌｅ  Ｉｎｐｕｔ  Ｍｕｌｔｉｐｌｅ  Ｏｕｔｐｕｔ）システムである。当該ＭＩＭＯシステムは、送信装置と受信装置がそれぞれ複数のアンテナを備え、それぞれのアンテナに対応したチャネルを設定する。すなわち、送信装置と受信装置との間の通信に対して、最大アンテナ数までのチャネルを設定することによって、データレートを向上させる。このようなＭＩＭＯシステムに、ＯＦＤＭ変調方式を組合せれば、データレートはさらに高速化される。
【０００５】
ＭＩＭＯシステムにおいて、データの通信に使用すべきアンテナの数を増減することによって、データレートの調節も可能になる。さらに、適応変調の適用によって、データレートの調節がより詳細になされる。このようなデータレートの調節を確実に実行するために、送信装置は、受信装置から、受信装置との間の無線伝送路に適したデータレートに関する情報（以下、「レート情報」という）を取得している方が望ましい。一方、ＭＩＭＯシステムにおいてレート情報が定期的に伝送されない場合、送信装置は、受信装置に対して、レート情報の送信を要求するための信号（以下、「レート要求信号」という）を送信する。
【０００６】
また、ＭＩＭＯシステムでの送信装置と受信装置におけるアンテナの指向性パターンの組合せは、例えば、以下の通りである。ひとつは、送信装置のアンテナがオムニパターンを有し、受信装置のアンテナがアダプティブアレイ信号処理でのパターンを有する場合である。別のものは、送信装置のアンテナと受信装置のアンテナの両者が、アダプティブアレイ信号処理でのパターンを有する場合である。前者の方がシステムを簡略化できるが、後者の方が、アンテナの指向性パターンをより詳細に制御できるので、特性を向上できる。後者の場合、送信装置が送信のアダプティブアレイ信号処理を実行するために、受信装置から、伝送路推定用の既知信号を予め受信する必要がある。アダプティブアレイアンテナ制御の精度を向上させるために、送信装置は、送信装置に含まれた複数のアンテナと、受信装置に含まれた複数のアンテナ間のそれぞれの伝送路特性を取得する方が望ましい。そのため、受信装置は、すべてのアンテナから伝送路推定用の既知信号を送信する。以下、データの通信に使用すべきアンテナの本数に関係なく、複数のアンテナから送信される伝送路推定用の既知信号を「トレーニング信号」という。
【０００７】
本発明者はこうした状況下、以下の課題を認識するに至った。前述のごとく、一部のキャリアにパイロット信号が含まれており、当該パイロット信号では有効な情報を伝送できないので、伝送効率が低下する。一方、伝送品質を維持するためには、パイロット信号の送信が必要になる。そのため、伝送品質の悪化を抑制しつつ、伝送効率を改善させることが、望まれる。
【０００８】
本発明はこうした状況に鑑みてなされたものであり、その目的は、伝送効率を改善させる送信技術および受信技術を提供することにある。
【課題を解決するための手段】
【０００９】
上記課題を解決するために、本発明のある態様の送信装置は、複数のサブキャリアをそれぞれ使用すべき第１プリアンブル、第１制御信号、第２制御信号の後方に、第２制御信号でのサブキャリアの数と異なった数のサブキャリアをそれぞれ使用すべき第２プリアンブル、データであって、かつ第２制御信号によって制御すべき第２プリアンブル、データを配置するパケット信号のうち、少なくとも第１制御信号とデータに対して、一部のサブキャリアに既知信号を挿入する挿入部と、挿入部によって既知信号が挿入された第１制御信号とデータを含めることによって、パケット信号を生成する生成部とを備える。挿入部は、第２制御信号のうちの非既知信号に対応したサブキャリアの数が、第１制御信号のうちの非既知信号に対応したサブキャリアの数よりも大きくなるように、第１制御信号のうちの一部のサブキャリアに既知信号を挿入する。
【００１０】
この態様によると、第２制御信号のうちの非既知信号に対応したサブキャリアの数が、第１制御信号のうちの非既知信号に対応したサブキャリアの数よりも大きくなるように、既知信号を挿入するので、第１制御信号における伝送効率よりも、第２制御信号における伝送効率を向上できる。また、第２制御信号の後段に、第２プリアンブルを配置するので、伝送品質の悪化を抑制できる。
【００１１】
生成部によって生成されるパケット信号のうち、第２プリアンブル、データにて使用されるサブキャリアの数は、第１プリアンブル、第１制御信号、第２制御信号にて使用されるサブキャリアの数よりも大きくなるように規定されており、挿入部は、第２制御信号のうちの非既知信号に対応したサブキャリアの数が、データのうちの非既知信号に対応したサブキャリアの数と等しくなるように、データのうちの一部のサブキャリアに既知信号を挿入してもよい。この場合、第２制御信号のうちの非既知信号に対応したサブキャリアの数が、データのうちの非既知信号に対応したサブキャリアの数と等しくなるように、既知信号を挿入するので、第２制御信号よりも多くのサブキャリアを使用しているデータと同じ数のサブキャリアにて非既知信号を伝送でき、伝送効率を向上できる。
【００１２】
第１制御信号のうち、非既知信号に対してインターリーブを実行するインターリーブ部とをさらに備えてもよい。インターリーブ部は、第２制御信号での非既知信号のうち、第１制御信号での非既知信号に対応した部分に対して、インターリーブを実行し、かつ第２制御信号での非既知信号のうち、第１制御信号での非既知信号に対応していない部分に対して、第１制御信号のうちの既知信号に対応すべきサブキャリアへの配置を実行してもよい。この場合、第１制御信号と第２制御信号に対して、同一のインターリーブ部を使用できる。
【００１３】
データのうち、非既知信号に対してインターリーブを実行するインターリーブ部とをさらに備えてもよい。インターリーブ部は、第２制御信号での非既知信号に対して、インターリーブを実行してもよい。この場合、第２制御信号とデータに対して、同一のインターリーブ部を使用できる。
【００１４】
生成部は、パケット信号を生成する際に、第２制御信号を複数のシンボルに配置し、挿入部は、第２制御信号のうちの非既知信号として、複数のシンボルに配置された第２制御信号のうち、少なくとも後部のシンボルのうちの非既知信号を処理の対象にしてもよい。この場合、第２制御信号が複数のシンボルに配置されていても対応できる。
【００１５】
生成部は、パケット信号を生成する際に、第２制御信号を複数のシンボルに配置し、インターリーブ部は、第２制御信号での非既知信号として、複数のシンボルに配置された第２制御信号のうち、少なくとも後部のシンボルでの非既知信号を処理の対象にしてもよい。この場合、第２制御信号が複数のシンボルに配置されていても対応できる。
【００１６】
挿入部は、複数のシンボルに配置された第２制御信号のうち、前部のシンボルにおいて、第１制御信号に挿入すべき既知信号と異なった既知信号を挿入してもよい。この場合、既知信号の値に応じて、第２制御信号であるかを通知できる。
【００１７】
本発明の別の態様は、受信装置である。この装置は、複数のサブキャリアをそれぞれ使用すべき第１プリアンブル、第１制御信号、第２制御信号の後方に、第２制御信号でのサブキャリアの数と異なった数のサブキャリアをそれぞれ使用すべき第２プリアンブル、データであって、かつ第２制御信号によって制御される第２プリアンブル、データを配置するパケット信号を受信する受信部と、受信部において受信したパケット信号のうち、少なくとも第１制御信号とデータに挿入された既知信号を抽出する抽出部と、抽出部によって既知信号が抽出された第１制御信号の非既知信号に対して、デインターリーブを実行するデインターリーブ部とを備える。受信部において受信したパケットのうちの第２制御信号において、非既知信号に対応したサブキャリアの数が、第１制御信号のうちの非既知信号に対応したサブキャリアの数よりも大きくなるように規定されており、デインターリーブ部は、第２制御信号での非既知信号のうち、第１制御信号での非既知信号に対応した部分に対して、デインターリーブを実行し、かつ第２制御信号での非既知信号のうち、第１制御信号での非既知信号に対応していない部分に対して、デインターリーブを実行した部分との合成を実行する。
【００１８】
この態様によると、第２制御信号のうちの非既知信号に対応したサブキャリアの数が、第１制御信号のうちの非既知信号に対応したサブキャリアの数よりも大きくなるように、既知信号が挿入されているので、第１制御信号における伝送効率よりも、第２制御信号における伝送効率を向上できる。また、第２制御信号の後段に、第２プリアンブルが配置されているので、伝送品質の悪化を抑制できる。
【００１９】
本発明のさらに別の態様もまた、受信装置である。この装置は、複数のサブキャリアをそれぞれ使用すべき第１プリアンブル、第１制御信号、第２制御信号の後方に、第２制御信号でのサブキャリアの数よりも大きい数のサブキャリアをそれぞれ使用すべき第２プリアンブル、データであって、かつ第２制御信号によって制御される第２プリアンブル、データを配置するパケット信号を受信する受信部と、受信部において受信したパケット信号のうち、少なくとも第１制御信号とデータに挿入された既知信号を抽出する抽出部と、抽出部によって既知信号が抽出されたデータの非既知信号に対して、デインターリーブを実行するデインターリーブ部とを備える。受信部において受信したパケットのうちの第２制御信号において、非既知信号に対応したサブキャリアの数が、データのうちの非既知信号に対応したサブキャリアの数と等しくなるように規定されており、デインターリーブ部は、第２制御信号での非既知信号に対して、デインターリーブを実行する。
【００２０】
この態様によると、第２制御信号のうちの非既知信号に対応したサブキャリアの数が、データのうちの非既知信号に対応したサブキャリアの数と等しくなるように、既知信号が挿入されているので、第２制御信号よりも多くのサブキャリアを使用しているデータと同じ数のサブキャリアにて非既知信号を伝送でき、伝送効率を向上できる。
【００２１】
受信部において受信したパケット信号のうち、第２制御信号は、複数のシンボルに配置されており、デインターリーブ部は、第２制御信号での非既知信号として、複数のシンボルに配置された第２制御信号のうち、少なくとも後部のシンボルでの非既知信号を処理の対象にしてもよい。抽出部は、複数のシンボルに配置された第２制御信号のうち、前部のシンボルにおいて、第１制御信号に挿入された既知信号と異なった既知信号を抽出してもよい。
【００２２】
本発明のさらに別の態様は、送信方法である。この方法は、複数のサブキャリアをそれぞれ使用すべき第１プリアンブル、第１制御信号、第２制御信号の後方に、第２制御信号でのサブキャリアの数と異なった数のサブキャリアをそれぞれ使用すべき第２プリアンブル、データであって、かつ第２制御信号によって制御すべき第２プリアンブル、データを配置するパケット信号のうち、少なくとも第１制御信号とデータに対して、一部のサブキャリアに既知信号を挿入することによって、パケット信号を生成する送信方法であって、複数のシンボルに配置された第２制御信号のうちの非既知信号に対応したサブキャリアの数が、第１制御信号のうちの非既知信号に対応したサブキャリアの数よりも大きくなるように、第１制御信号のうちの一部のサブキャリアに既知信号を挿入する。
【００２３】
生成されるパケット信号のうち、第２プリアンブル、データにて使用されるサブキャリアの数は、第１プリアンブル、第１制御信号、第２制御信号にて使用されるサブキャリアの数よりも大きくなるように規定されており、第２制御信号のうちの非既知信号に対応したサブキャリアの数が、データのうちの非既知信号に対応したサブキャリアの数と等しくなるように、データのうちの一部のサブキャリアに既知信号を挿入してもよい。
【００２４】
第１制御信号のうち、非既知信号に対してインターリーブを実行しつつ、第２制御信号での非既知信号のうち、第１制御信号での非既知信号に対応した部分に対して、インターリーブを実行し、かつ第２制御信号での非既知信号のうち、第１制御信号での非既知信号に対応していない部分に対して、第１制御信号のうちの既知信号に対応すべきサブキャリアへの配置を実行してもよい。データのうち、非既知信号に対してインターリーブを実行しつつ、第２制御信号での非既知信号に対して、インターリーブを実行してもよい。パケット信号を生成する際に、第２制御信号を複数のシンボルに配置し、第２制御信号のうちの非既知信号として、複数のシンボルに配置された第２制御信号のうち、少なくとも後部のシンボルのうちの非既知信号を処理の対象にしてもよい。複数のシンボルに配置された第２制御信号のうち、前部のシンボルにおいて、第１制御信号に挿入すべき既知信号と異なった既知信号を挿入してもよい。
【００２５】
本発明のさらに別の態様は、受信方法である。この方法は、複数のサブキャリアをそれぞれ使用すべき第１プリアンブル、第１制御信号、第２制御信号の後方に、第２制御信号でのサブキャリアの数と異なった数のサブキャリアをそれぞれ使用すべき第２プリアンブル、データであって、かつ第２制御信号によって制御される第２プリアンブル、データを配置するパケット信号を受信するステップと、受信したパケット信号のうち、少なくとも第１制御信号とデータに挿入された既知信号を抽出し、既知信号が抽出された第１制御信号の非既知信号に対して、デインターリーブを実行するステップとを備える。受信するステップにおいて受信したパケットのうちの第２制御信号において、非既知信号に対応したサブキャリアの数が、第１制御信号のうちの非既知信号に対応したサブキャリアの数よりも大きくなるように規定されており、デインターリーブを実行するステップは、第２制御信号での非既知信号のうち、第１制御信号での非既知信号に対応した部分に対して、デインターリーブを実行し、かつ第２制御信号での非既知信号のうち、第１制御信号での非既知信号に対応していない部分に対して、デインターリーブを実行した部分との合成を実行する。
【００２６】
本発明のさらに別の態様もまた、受信方法である。この方法は、複数のサブキャリアをそれぞれ使用すべき第１プリアンブル、第１制御信号、第２制御信号の後方に、第２制御信号でのサブキャリアの数よりも大きい数のサブキャリアをそれぞれ使用すべき第２プリアンブル、データであって、かつ第２制御信号によって制御される第２プリアンブル、データを配置するパケット信号を受信するステップと、受信したパケット信号のうち、少なくとも第１制御信号とデータに挿入された既知信号を抽出し、既知信号が抽出されたデータの非既知信号に対して、デインターリーブを実行するステップとを備える。受信するステップにおいて受信したパケットのうちの第２制御信号において、非既知信号に対応したサブキャリアの数が、データのうちの非既知信号に対応したサブキャリアの数と等しくなるように規定されており、デインターリーブを実行するステップは、第２制御信号での非既知信号に対して、デインターリーブを実行する。
【００２７】
受信するステップにおいて受信したパケット信号のうち、第２制御信号は、複数のシンボルに配置されており、デインターリーブを実行するステップは、第２制御信号での非既知信号として、複数のシンボルに配置された第２制御信号のうち、少なくとも後部のシンボルでの非既知信号を処理の対象にしてもよい。デインターリーブを実行するステップは、複数のシンボルに配置された第２制御信号のうち、前部のシンボルにおいて、第１制御信号に挿入された既知信号と異なった既知信号を抽出してもよい。
【００２８】
本発明のさらに別の態様は、通信システムである。この通信システムは、複数のサブキャリアをそれぞれ使用すべき第１プリアンブル、第１制御信号、第２制御信号の後方に、第２制御信号でのサブキャリアの数と異なった数のサブキャリアをそれぞれ使用すべき第２プリアンブル、データであって、かつ第２制御信号によって制御すべき第２プリアンブル、データを配置するパケット信号のうち、第１制御信号の非既知信号に対してインターリーブを実行しつつ、少なくとも第１制御信号とデータに対して、一部のサブキャリアに既知信号を挿入することによって、パケット信号を生成する送信装置と、受信したパケット信号のうち、少なくとも第１制御信号とデータに挿入された既知信号を抽出し、既知信号が抽出された第１制御信号の非既知信号に対して、デインターリーブを実行する受信装置とを備える。送信装置は、第２制御信号のうちの非既知信号に対応したサブキャリアの数が、第１制御信号のうちの非既知信号に対応したサブキャリアの数よりも大きくなるように、第１制御信号のうちの一部のサブキャリアに既知信号を挿入する手段と、第２制御信号での非既知信号のうち、第１制御信号での非既知信号に対応した部分に対して、インターリーブを実行しつつ、第２制御信号での非既知信号のうち、第１制御信号での非既知信号に対応していない部分に対して、第１制御信号のうちの既知信号に対応すべきサブキャリアへの配置を実行する手段とを含む。受信装置は、第２制御信号での非既知信号のうち、第１制御信号での非既知信号に対応した部分に対して、デインターリーブを実行し、かつ第２制御信号での非既知信号のうち、第１制御信号での非既知信号に対応していない部分に対して、デインターリーブを実行した部分との合成を実行する。
【００２９】
本発明のさらに別の態様もまた、通信システムである。この通信システムは、複数のサブキャリアをそれぞれ使用すべき第１プリアンブル、第１制御信号、第２制御信号の後方に、第２制御信号でのサブキャリアの数よりも大きい数のサブキャリアをそれぞれ使用すべき第２プリアンブル、データであって、かつ第２制御信号によって制御すべき第２プリアンブル、データを配置するパケット信号のうち、データの非既知信号に対してインターリーブを実行しつつ、少なくとも第１制御信号とデータに対して、一部のサブキャリアに既知信号を挿入することによって、パケット信号を生成する送信装置と、受信したパケット信号のうち、少なくとも第１制御信号とデータに挿入された既知信号を抽出し、既知信号が抽出されたデータの非既知信号に対して、デインターリーブを実行する受信装置とを備える。送信装置は、第２制御信号のうちの非既知信号に対応したサブキャリアの数と等しくなるように、データのうちの一部のサブキャリアに既知信号を挿入する手段と、第２制御信号での非既知信号に対して、インターリーブを実行する手段とを含む。受信装置は、第２制御信号での非既知信号に対して、デインターリーブを実行する。
【００３０】
送信装置は、複数のシンボルに配置された第２制御信号のうち、前部のシンボルにおいて、第１制御信号に挿入すべき既知信号と異なった既知信号を挿入してもよい。
【００３１】
なお、以上の構成要素の任意の組合せ、本発明の表現を方法、装置、システム、記録媒体、コンピュータプログラムなどの間で変換したものもまた、本発明の態様として有効である。
【発明の効果】
【００３２】
本発明によれば、伝送効率を改善できる。
【発明を実施するための最良の形態】
【００３３】
本発明を具体的に説明する前に、概要を述べる。本発明の実施例は、ふたつの無線装置（以下、便宜上、「第１無線装置」と「第２無線装置」という）によって構成されるＭＩＭＯシステムに関する。ＭＩＭＯシステムにおける第１無線装置と第２無線装置は、共にアダプティブアレイ信号処理を実行する。また、ＭＩＭＯシステムは、アンテナの本数、変調方式、誤り訂正の符号化率の各値を変えることによって、データレートを変更する。その際、送信側の無線装置は、受信側の無線装置に対してレート要求信号を送信する。例えば、第１無線装置が第２無線装置にデータを送信する場合、第１無線装置は、第２無線装置に対して、レート要求信号を送信する。
【００３４】
第１無線装置および第２無線装置によって送信されるパケット信号は、ＭＩＭＯシステムに対応していない通信システム（以下、「従来システム」という）に対応した信号の後段に、ＭＩＭＯシステムのみに対応した信号を配置する。すなわち、パケットフォーマットは、従来システムに対応したプリアンブル（以下、「Ｌｅｇａｃｙプリアンブル」という）、従来システムに対応した制御信号（以下、「Ｌｅｇａｃｙシグナル」という）の後段に、ＭＩＭＯシステムに対応した制御信号（以下、「ＭＩＭＯシグナル」という）、ＭＩＭＯシステムに対応したプリアンブル（以下、「ＭＩＭＯプリアンブル」という）、ＭＩＭＯシステムに対応したデータ（以下、単に「データ」という）を配置する。このように、Ｌｅｇａｃｙプリアンブル等が先頭部分に配置されることによって、従来システムのみに対応した無線装置であっても、当該パケット信号の存在を認識できる。その結果、従来システムのみに対応した無線装置は、パケット信号の送信を実行しないので、パケット信号の衝突を低減できる。なお、データレートの変更は、パケット信号中のデータにおいてなされ、それ以外の部分においてなされない。例えば、ＭＩＭＯシグナルには、誤りに強い変調方式等が使用される。
【００３５】
ＭＩＭＯプリアンブル、データにおいて使用されるサブキャリアの数は、Ｌｅｇａｃｙプリアンブル、Ｌｅｇａｃｙシグナル、ＭＩＭＯシグナルにおいて使用されるサブキャリアの数よりも大きくなっている。また、Ｌｅｇａｃｙシグナルとデータには、伝送品質の悪化を抑制するために、複数のサブキャリアのうちの一部にパイロット信号が配置される。ここで、ＭＩＭＯシグナルのうちの一部のサブキャリアにパイロット信号が配置されれば、ＭＩＭＯシグナルにおいて、データよりも、実質的に情報を伝送できるサブキャリアの数が少なくなってしまう。
【００３６】
本実施例に係る無線装置は、ＭＩＭＯシグナルにパイロット信号を配置しない。すなわち、ＭＩＭＯシグナルでは、すべてのサブキャリアを使用して情報を送信する。その結果、伝送効率の低下を抑制できる。なお、前述のごとく、ＭＩＭＯシグナルには、誤りに強い変調方式等が使用されているので、パイロット信号がなくても、伝送品質の悪化を小さくできる。また、ＭＩＭＯシグナルの後段には、ＭＩＭＯプリアンブルが配置されているので、パイロット信号がないことによる影響は、そこに伝搬しない。さらに、ＭＩＭＯシグナルによって使用されるサブキャリアの数と、データのうちのパイロット信号以外の部分によって使用されるサブキャリアの数は、等しくなるように規定する。そのため、両者に対して、共通のインターリーブ、デインターリーブを使用できる。
【００３７】
図１は、本発明の実施例に係るマルチキャリア信号のスペクトルを示す。特に、図１は、ＯＦＤＭ変調方式での信号のスペクトルを示す。ＯＦＤＭ変調方式における複数のキャリアのひとつをサブキャリアと一般的に呼ぶが、ここではひとつのサブキャリアを「サブキャリア番号」によって指定するものとする。ＭＩＭＯシステムには、サブキャリア番号「−２８」から「２８」までの５６サブキャリアが規定されている。なお、サブキャリア番号「０」は、ベースバンド信号における直流成分の影響を低減するため、ヌルに設定されている。一方、従来システムでは、サブキャリア番号「−２６」から「２６」までの５２サブキャリアが規定されている。すなわち、ＩＥＥＥ８０２．１１ａ、ｇ規格に準拠している。また、それぞれのサブキャリアは、可変に設定された変調方式によって変調されている。変調方式には、ＢＰＳＫ（Ｂｉｎａｒｙ  Ｐｈａｓｅ  Ｓｈｉｆｔ  Ｋｅｙｉｎｇ）、ＱＳＰＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭのいずれかが使用される。
【００３８】
また、これらの信号には、誤り訂正方式として、畳み込み符号化が適用されている。畳み込み符号化の符号化率は、１／２、３／４等に設定される。さらに、ＭＩＭＯシステムにおいて使用されるアンテナの本数は、可変に設定される。その結果、変調方式、符号化率、アンテナ本数の値が可変に設定されることによって、データレートも可変に設定される。ここでは、「データレート」がこれらの任意の組合せによって決定されてもよいし、これらのうちのひとつによって決定されてもよい。以下、前述のごとく、データレートに関する情報を「レート情報」というが、レート情報は、変調方式、符号化率、アンテナ本数のそれぞれの値を含む。ここでは、特に必要のない限り、変調方式、符号化率、アンテナ本数のそれぞれの値を説明しないものとする。
【００３９】
図２は、本発明の実施例に係る通信システム１００の構成を示す。通信システム１００は、無線装置１０と総称される第１無線装置１０ａ、第２無線装置１０ｂを含む。また、第１無線装置１０ａは、アンテナ１２と総称される第１アンテナ１２ａ、第２アンテナ１２ｂ、第３アンテナ１２ｃ、第４アンテナ１２ｄを含み、第２無線装置１０ｂは、アンテナ１４と総称される第１アンテナ１４ａ、第２アンテナ１４ｂ、第３アンテナ１４ｃ、第４アンテナ１４ｄを含む。第１無線装置１０ａと第２無線装置１０ｂのうちの一方が、送信装置に対応し、他方が受信装置に対応する。また、第１無線装置１０ａと第２無線装置１０ｂのうちの一方が基地局装置に対応し、他方が端末装置に対応する。
【００４０】
通信システム１００の構成を説明する前に、ＭＩＭＯシステムの概略を説明する。データは、第１無線装置１０ａから第２無線装置１０ｂに送信されているものとする。第１無線装置１０ａは、第１アンテナ１２ａから第４アンテナ１２ｄのそれぞれから、異なったデータを送信する。その結果、データレートが高速になる。第２無線装置１０ｂは、第１アンテナ１４ａから第４アンテナ１４ｄによって、データを受信する。さらに、第２無線装置１０ｂは、アダプティブアレイ信号処理によって、受信したデータを分離して、第１アンテナ１２ａから第４アンテナ１２ｄのそれぞれから送信されたデータを独立に復調する。
【００４１】
ここで、アンテナ１２の本数は「４」であり、アンテナ１４の本数も「４」であるので、アンテナ１２とアンテナ１４の間の伝送路の組合せは「１６」になる。第ｉアンテナ１２ｉから第ｊアンテナ１４ｊとの間の伝送路特性をｈｉｊと示す。図中において、第１アンテナ１２ａと第１アンテナ１４ａとの間の伝送路特性がｈ１１、第１アンテナ１２ａから第２アンテナ１４ｂとの間の伝送路特性がｈ１２、第２アンテナ１２ｂと第１アンテナ１４ａとの間の伝送路特性がｈ２１、第２アンテナ１２ｂから第２アンテナ１４ｂとの間の伝送路特性がｈ２２、第４アンテナ１２ｄから第４アンテナ１４ｄとの間の伝送路特性がｈ４４と示されている。なお、これら以外の伝送路は、図の明瞭化のために省略する。
【００４２】
第２無線装置１０ｂは、アダプティブアレイ信号処理によって、第１アンテナ１２ａから第２アンテナ１２ｂによってそれぞれ送信されたデータを独立して復調できるように動作する。さらに、第１無線装置１０ａも、第１アンテナ１２ａから第４アンテナ１２ｄに対してアダプティブアレイ信号処理を実行してもよい。このように送信側である第１無線装置１０ａにおいてもアダプティブアレイ信号処理を実行することによって、ＭＩＭＯシステムにおける空間の分割を確実にする。その結果、複数のアンテナ１２において送信される信号間の干渉が小さくなるので、データの伝送特性を向上できる。
【００４３】
第１無線装置１０ａは、第１アンテナ１２ａから第４アンテナ１２ｄから、それぞれ異なったデータを送信する。また、送信すべきデータのレートや容量に応じて、第１無線装置１０ａは、使用すべきアンテナ１２の本数を制御する。また、第１無線装置１０ａは、変調方式や、誤り訂正の符号化率を制御する。例えば、送信すべきデータの容量が大きければ、「４」本のアンテナ１２を使用し、送信すべきデータの容量が小さければ、「２」本のアンテナ１２を使用する。また、第１無線装置１０ａは、使用すべきアンテナ１２の本数や変調方式等を決定する際に、第２無線装置１０ｂにおけるレート情報を参照する。例えば、第２無線装置１０ｂが「２」本のアンテナ１４による受信を指示する場合に、第１無線装置１０ａは、「２」本のアンテナ１２を使用する。さらに、第１無線装置１０ａは、データを送信する際に、アンテナ１２に対してアダプティブアレイ信号処理を実行する。そのため、第１無線装置１０ａは、第２無線装置１０ｂからトレーニング信号を予め受信し、トレーニング信号にもとづいて送信ウエイトベクトルを導出する。
【００４４】
さらに、第１無線装置１０ａは、トレーニング信号であるか否かにかかわらず、複数のサブキャリアをそれぞれ使用すべきＬｅｇａｃｙプリアンブル、Ｌｅｇａｃｙシグナル、ＭＩＭＯシグナルの後方に、ＭＩＭＯシグナルでのサブキャリアの数よりも大きい数のサブキャリアをそれぞれ使用すべきＭＩＭＯプリアンブル、データを配置するパケット信号を生成する。ここで、ＭＩＭＯプリアンブル、データは、ＭＩＭＯシグナルによって制御されている。すなわち、ＭＩＭＯシグナルの中に、データに関する情報が含まれている。さらに、ＭＩＭＯシグナルの存在によって、ＭＩＭＯプリアンブル、データの存在が、第２無線装置１０ｂに伝えられる。また、第１無線装置１０ａは、パケット信号を生成する際に、Ｌｅｇａｃｙシグナルとデータに対してインターリーブを実行しつつ、少なくともＬｅｇａｃｙシグナルとデータに対して、一部のサブキャリアにパイロット信号を挿入する。
【００４５】
ここで、ＭＩＭＯシグナルには、パイロット信号が挿入されない。第１無線装置１０ａは、ＭＩＭＯシグナルのパイロット信号以外の信号（以下、「非既知信号」という）に対応したサブキャリアの数が、データのうちの非既知信号に対応したサブキャリアの数と等しくなるように、データのうちの一部のサブキャリアにパイロット信号を挿入する。
【００４６】
第２無線装置１０ｂは、第１アンテナ１４ａから第４アンテナ１４ｄに対して、アダプティブアレイ信号処理を実行して、第１無線装置１０ａからのデータを受信する。また、前述のごとく、第２無線装置１０ｂは、第１無線装置１０ａに対して、レート情報を通知したり、トレーニング信号を送信する。第２無線装置１０ｂは、トレーニング信号であるか否かにかかわらず、受信したパケット信号のうち、少なくともＬｅｇａｃｙシグナルとデータに挿入されたパイロット信号を抽出し、パイロット信号が抽出されたデータの非既知信号に対して、デインターリーブを実行する。その際、ＭＩＭＯシグナルの非既知信号に対しても、データと同一の規則によるデインターリーブが実行される。なお、第１無線装置１０ａと第２無線装置１０ｂの動作が、反対になってもよい。
【００４７】
図３（ａ）−（ｃ）は、通信システム１００でのパケットフォーマットの構成を示す。図３（ａ）は、使用されるアンテナ１２の数が「２」である場合のパケットフォーマットである。図の上段が、第１アンテナ１２ａから送信されるパケット信号を示し、図の下段が、第２アンテナ１２ｂから送信されるパケット信号を示す。「Ｌｅｇａｃｙ  ＳＴＳ（Ｓｈｏｒｔ  Ｔｒａｉｎｉｎｇ  Ｓｅｑｕｅｎｃｅ）」、「Ｌｅｇａｃｙ  ＬＴＳ（Ｌｏｎｇ  Ｔｒａｉｎｉｎｇ  Ｓｅｑｕｅｎｃｅ）」、「Ｌｅｇａｃｙ  シグナル」は、ＩＥＥＥ８０２．１１ａ規格に準拠した無線ＬＡＮシステムのごとく、従来システムと互換性を有する信号である。なお、前述の「Ｌｅｇａｃｙプリアンブル」は、「Ｌｅｇａｃｙ  ＳＴＳ」および「Ｌｅｇａｃｙ  ＬＴＳ」、あるいはそれらのうちの一方に相当する。「Ｌｅｇａｃｙ  ＳＴＳ」は、タイミング同期およびＡＧＣ（Ａｕｔｏｍａｔｉｃ  Ｇａｉｎ  Ｃｏｎｔｒｏｌ）等に使用され、「Ｌｅｇａｃｙ  ＬＴＳ」は、伝送路推定に使用される。これらは、すべて既知信号である。
【００４８】
また、「Ｌｅｇａｃｙ  シグナル」は、従来システムに関する制御情報を含む。「ＭＩＭＯシグナル」以降は、ＭＩＭＯシステムに特有の信号であり、「ＭＩＭＯシグナル」は、ＭＩＭＯシステムに対応した制御情報を含む。「第１ＭＩＭＯ−ＳＴＳ」と「第２ＭＩＭＯ−ＳＴＳ」は、タイミング同期およびＡＧＣ等に使用され、「第１ＭＩＭＯ−ＬＴＳ」と「第２ＭＩＭＯ−ＬＴＳ」は、伝送路推定に使用される。これらは、すべて既知信号である。「第１データ」と「第２データ」は、送信すべきデータである。なお、前述の「ＭＩＭＯプリアンブル」は、「第１ＭＩＭＯ−ＳＴＳ」、「第２ＭＩＭＯ−ＳＴＳ」、「第１ＭＩＭＯ−ＬＴＳ」と「第２ＭＩＭＯ−ＬＴＳ」、あるいはそれらのうちのいずれかに相当する。
【００４９】
以上のパケットフォーマットのうち、「第１データ」と「第２データ」でのデータレートは、可変になるように設定される。すなわち、変調方式、符号化率、アンテナ本数が制御される。一方、「Ｌｅｇａｃｙシグナル」、「ＭＩＭＯシグナル」でのデータレートは、固定になるように設定される。すなわち、「Ｌｅｇａｃｙシグナル」、「ＭＩＭＯシグナル」に含まれる情報は重要であり、正確に伝送されることが要求されるので、低いデータレートが使用される。これは、誤りに強い変調方式、符号化率といえる。さらに、「Ｌｅｇａｃｙシグナル」から「ＭＩＭＯシグナル」までは、「５３」のサブキャリアを使用しているが、「第１ＭＩＭＯ−ＳＴＳ」、「第２ＭＩＭＯ−ＳＴＳ」以降は、「５６」のサブキャリアを図１のごとく使用している。すなわち、ＭＩＭＯプリアンブル、データにて使用されるサブキャリアの数は、Ｌｅｇａｃｙプリアンブル、Ｌｅｇａｃｙシグナル、ＭＩＭＯシグナルにて使用されるサブキャリアの数よりも大きくなるように規定されている。
【００５０】
ここで、「Ｌｅｇａｃｙシグナル」、「第１データ」、「第２データ」のうち、サブキャリア番号「−２１」、「−７」、「７」、「２１」のサブキャリアにパイロット信号が挿入されている。すなわち、同一の数のパイロット信号が挿入されている。また、同一のサブキャリアにパイロット信号が挿入されている。そのため、「第１データ」、「第２データ」に含まれる非既知信号に対応したサブキャリアの数は、「５２」となり、「ＭＩＭＯシグナル」に含まれる非既知信号に対応したサブキャリアの数と等しくなる。
【００５１】
図３（ｂ）は、図３（ａ）と同様に、データの送信のために「２」本のアンテナ１２が使用される場合のパケットフォーマットである。しかしながら、前述のトレーニング信号が付加されている。トレーニング信号は、図中において、「第１ＭＩＭＯ−ＳＴＳ」、「第１ＭＩＭＯ−ＬＴＳ」から「第４ＭＩＭＯ−ＳＴＳ」、「第４ＭＩＭＯ−ＬＴＳ」に対応する。また、「第１ＭＩＭＯ−ＳＴＳ」、「第１ＭＩＭＯ−ＬＴＳ」から「第４ＭＩＭＯ−ＳＴＳ」、「第４ＭＩＭＯ−ＬＴＳ」は、第１アンテナ１２ａから第４アンテナ１２ｄによってそれぞれ送信される。なお、トレーニング信号が送信されるアンテナ１２の数は、「４」より小さくなってもよい。「第１ＭＩＭＯ−ＳＴＳ」から「第４ＭＩＭＯ−ＳＴＳ」は、互いの干渉が小さくなるようなパターンによって構成されている。
【００５２】
「第１ＭＩＭＯ−ＬＴＳ」から「第４ＭＩＭＯ−ＬＴＳ」も同様である。ここでは、これらの構成の説明を省略する。一般的に、「Ｌｅｇａｃｙ  ＬＴＳ」や図３（ａ）における「第１ＭＩＭＯ−ＬＴＳ」等が、トレーニング信号といわれる場合もあるが、ここでは、トレーニング信号を前述のような図３（ｂ）の信号に限定する。すなわち、「トレーニング信号」とは、通信対象の無線装置１０に伝送路推定を実行させるために、送信すべきデータの数、すなわち系列の数にかかわらず、推定させるべき伝送路に応じた系列の数のＭＩＭＯ−ＬＴＳに相当する。以下、「第１ＭＩＭＯ−ＳＴＳ」から「第４ＭＩＭＯ−ＳＴＳ」を「ＭＩＭＯ−ＳＴＳ」と総称し、「第１ＭＩＭＯ−ＬＴＳ」から「第４ＭＩＭＯ−ＬＴＳ」を「ＭＩＭＯ−ＬＴＳ」と総称し、「第１データ」と「第２データ」を「データ」と総称する。
【００５３】
図３（ｃ）は、図３（ｂ）の変形例に相当する。図示のごとく、「第３ＭＩＭＯ−ＬＴＳ」と「第４ＭＩＭＯ−ＬＴＳ」が、「第１ＭＩＭＯ−ＬＴＳ」と「第２ＭＩＭＯ−ＬＴＳ」と異なったタイミングに配置されている。この場合、「第３ＭＩＭＯ−ＬＴＳ」と「第４ＭＩＭＯ−ＬＴＳ」に対して、「ＭＩＭＯ−ＳＴＳ」が付加されていないが、「第１ＭＩＭＯ−ＳＴＳ」と「第２ＭＩＭＯ−ＳＴＳ」によって受信側にてＡＧＣを設定するため、ＡＧＣによる設定値を「第1データ」と「第２データ」の受信に最適化できる。なお、図３（ａ）−（ｃ）に示した信号がまとめられてパケット信号と呼ばれることもあれば、あるいは、ひとつのアンテナ１２から送信される信号がパケット信号と呼ばれることもある。ここでは、それらを区別せずに使用する。
【００５４】
図４は、通信システム１００での通信手順を示すシーケンス図である。ここでは、第１無線装置１０ａが、第２無線装置１０ｂのレート情報を取得する動作を示す。説明を簡潔にするために、アダプティブアレイ信号処理の動作を省略する。第１無線装置１０ａは、第２無線装置１０ｂに対して、レート要求信号を送信する（Ｓ１０）。第２無線装置１０ｂは、第１無線装置１０ａに対して、レート情報を送信する（Ｓ１２）。第１無線装置１０ａは、レート情報にもとづいて、データレートを設定する（Ｓ１４）。すなわち、レート情報を参照しながら、データレートを設定する。第１無線装置１０ａは、設定されたデータレートによって、データを送信する（Ｓ１６）。第２無線装置１０ｂは、データに対して、受信処理を実行する（Ｓ１８）。なお、これ以外の方法によって、第１無線装置１０ａは、レート情報を取得してもよい。
【００５５】
図５は、通信システム１００での別の通信手順を示すシーケンス図である。ここでは、ＭＩＭＯによってデータが伝送される動作を示す。なお、第１無線装置１０ａから第２無線装置１０ｂにデータが送信される場合、第１無線装置１０ａは、トレーニング信号にもとづいて、送信ウエイトベクトルを予め導出してなければならない。そのために、第１無線装置１０ａは、第２無線装置１０ｂにトレーニング信号の送信を要求する（以下、要求のための信号を「トレーニング要求信号」という）（Ｓ２０）。トレーニング要求信号は、図３（ａ）の「第１データ」や「第２データ」に含まれる。第２無線装置１０ｂは、トレーニング要求信号にしたがい、第１無線装置１０ａに対してトレーニング信号を送信する（Ｓ２２）。第１無線装置１０ａは、受信したトレーニング信号にもとづいて、送信ウエイトベクトルを導出し、これを設定する（Ｓ２４）。第１無線装置１０ａは、送信ウエイトベクトルを使用しながら、データを送信する（Ｓ２６）。第２無線装置１０ｂは、受信したデータに対して、受信ウエイトベクトルを導出し、これを設定する（Ｓ２８）。さらに、第２無線装置１０ｂは、受信ウエイトベクトルにもとづいて、データの受信処理を実行する（Ｓ３０）。
【００５６】
図６は、第１無線装置１０ａの構成を示す。第１無線装置１０ａは、無線部２０と総称される第１無線部２０ａ、第２無線部２０ｂ、第４無線部２０ｄ、処理部２２と総称される第１処理部２２ａ、第２処理部２２ｂ、第４処理部２２ｄ、変復調部２４と総称される第１変復調部２４ａ、第２変復調部２４ｂ、第４変復調部２４ｄ、ＩＦ部２６、制御部３０、レート情報管理部３２を含む。また信号として、時間領域信号２００と総称される第１時間領域信号２００ａ、第２時間領域信号２００ｂ、第４時間領域信号２００ｄ、周波数領域信号２０２と総称される第１周波数領域信号２０２ａ、第２周波数領域信号２０２ｂ、第４周波数領域信号２０２ｄを含む。なお、第２無線装置１０ｂも同様の構成を有する。また、第１無線装置１０ａや第２無線装置１０ｂが基地局装置であるか、あるいは端末装置であるかによって、異なった構成が含まれるが、ここでは、説明を明確にするために、それらを省略する。
【００５７】
無線部２０は、受信動作として、アンテナ１２において受信した無線周波数の信号を周波数変換し、ベースバンドの信号を導出する。無線部２０は、ベースバンドの信号を時間領域信号２００として処理部２２に出力する。一般的に、ベースバンドの信号は、同相成分と直交成分によって形成されるので、ふたつの信号線によって伝送されるべきであるが、ここでは、図を明瞭にするためにひとつの信号線だけを示すものとする。また、ＡＧＣやＡ／Ｄ変換部も含まれる。無線部２０は、送信動作として、処理部２２からのベースバンドの信号を周波数変換し、無線周波数の信号を導出する。ここで、処理部２２からのベースバンドの信号も時間領域信号２００として示す。無線部２０は、無線周波数の信号をアンテナ１２に出力する。また、ＰＡ（Ｐｏｗｅｒ  Ａｍｐｌｉｆｉｅｒ）、Ｄ／Ａ変換部も含まれる。時間領域信号２００は、時間領域に変換したマルチキャリア信号であり、デジタル信号であるものとする。さらに、無線部２０において処理される信号は、パケット信号を形成しており、そのパケットフォーマットは、図３（ａ）−（ｃ）に示した通りである。
【００５８】
処理部２２は、受信動作として、複数の時間領域信号２００をそれぞれ周波数領域に変換し、周波数領域の信号に対してアダプティブアレイ信号処理を実行する。処理部２２は、アダプティブアレイ信号処理の結果を周波数領域信号２０２として出力する。ひとつの周波数領域信号２０２が、図２におけるひとつのアンテナ１４から送信された信号に対応し、これはひとつの伝送路に対応した信号に相当する。処理部２２は、送信動作として、変復調部２４から、周波数領域の信号としての周波数領域信号２０２を入力し、周波数領域の信号に対してアダプティブアレイ信号処理を実行する。さらに、処理部２２は、アダプティブアレイ信号処理した信号を時間領域に変換し、時間領域信号２００として出力する。送信処理において使用すべきアンテナ１２の数は、制御部３０によって指定されるものとする。ここで、周波数領域の信号である周波数領域信号２０２は、図１のごとく、複数のサブキャリアの成分を含むものとする。図を明瞭にするために、周波数領域の信号は、サブキャリア番号の順に並べられて、シリアル信号を形成しているものとする。
【００５９】
図７は、周波数領域の信号の構成を示す。「ｉ」番目のＯＦＤＭシンボルは、サブキャリア番号「１」から「２８」、サブキャリア番号「−２８」から「−１」の順にサブキャリア成分を並べているものとする。また、「ｉ」番目のＯＦＤＭシンボルの前に、「ｉ−１」番目のＯＭＤＭシンボルが配置され、「ｉ」番目のＯＦＤＭシンボルの後ろに、「ｉ＋１」番目のＯＭＤＭシンボルが配置されているものとする。なお、「Ｌｅｇａｃｙシグナル」等では、サブキャリア番号「１」から「２６」、サブキャリア番号「−２６」から「−１」の順にサブキャリア成分を並べているものとする。
【００６０】
図６に戻る。変復調部２４は、受信処理として、処理部２２からの周波数領域信号２０２に対して、復調および復号を実行する。なお、復調および復号は、サブキャリア単位でなされる。変復調部２４は、復号した信号をＩＦ部２６に出力する。また、変復調部２４は、送信処理として、符号化および変調を実行する。変復調部２４は、変調した信号を周波数領域信号２０２として処理部２２に出力する。送信処理の際に、変調方式および符号化率は、制御部３０によって指定されるものとする。当該指定は、前述のレート情報にもとづいてなされる。
【００６１】
変復調部２４をさらに詳細に説明する。送信処理において、変復調部２４は、Ｌｅｇａｃｙシグナルのうち、非既知信号に対してインターリーブを実行する。当該インターリーブは、「４８」のサブキャリアに配置される非既知信号に対する処理である。また、変復調部２４は、データのうち、非既知信号に対してインターリーブを実行する。当該インターリーブは、「５２」のサブキャリアに配置される非既知信号に対する処理である。すなわち、Ｌｅｇａｃｙシグナルとデータに対して、異なった規則のインターリーブが実行される。さらに、変復調部２４は、ＭＩＭＯシグナルでの非既知信号に対して、インターリーブを実行する。当該インターリーブは、「５２」のサブキャリアに配置される非既知信号に対する処理である。すなわち、ＭＩＭＯシグナルとデータに対して、同一規則のインターリーブが実行される。
【００６２】
変復調部２４は、図３（ａ）−（ｃ）に示したパケット信号のうち、Ｌｅｇａｃｙシグナルとデータに対して、一部のサブキャリアにパイロット信号を挿入する。一方、ＭＩＭＯシグナルに対して、パイロット信号を挿入しない。ここで、ＭＩＭＯシグナルのうちの非既知信号に対応したサブキャリアの数が、Ｌｅｇａｃｙシグナルのうちの非既知信号に対応したサブキャリアの数よりも大きくなり、かつＭＩＭＯシグナルのうちの非既知信号に対応したサブキャリアの数が、データのうちの非既知信号に対応したサブキャリアの数と等しくなるように、パイロット信号の挿入が実行される。以上の条件を満たすように、変復調部２４は、Ｌｅｇａｃｙシグナルとデータに対して、「４」つのサブキャリアにパイロット信号を挿入する。
【００６３】
受信処理として、変復調部２４は、図３（ａ）−（ｃ）のようなパケット信号を入力する。変復調部２４は、同期検波を実行するために、パケット信号のうち、Ｌｅｇａｃｙシグナルとデータに挿入されたパイロット信号を抽出する。変復調部２４は、パイロット信号が抽出されたＬｅｇａｃｙシグナルの非既知信号に対して、デインターリーブを実行する。当該デインターリーブは、「４８」のサブキャリアに配置される非既知信号に対する処理である。また、変復調部２４は、データの非既知信号に対して、デインターリーブを実行する。当該デインターリーブは、「５２」のサブキャリアに配置される非既知信号に対する処理である。すなわち、Ｌｅｇａｃｙシグナルとデータに対して、異なった規則のデインターリーブが実行される。さらに、変復調部２４は、ＭＩＭＯシグナルでの非既知信号に対して、デインターリーブを実行する。当該デインターリーブは、「５２」のサブキャリアに配置される非既知信号に対する処理である。すなわち、ＭＩＭＯシグナルとデータに対して、同一規則のデインターリーブが実行される。
【００６４】
ＩＦ部２６は、受信処理として、複数の変復調部２４からの信号を合成し、ひとつのデータストリームを形成する。ＩＦ部２６は、データストリームを出力する。また、ＩＦ部２６は、送信処理として、ひとつのデータストリームを入力し、これを分離する。さらに、分離したデータを複数の変復調部２４に出力する。
【００６５】
以上のような構成によって、要求信号を送信する場合を説明する。処理部２２は、図３（ａ）から（ｃ）のごとく、複数のアンテナ１２のうちの少なくともひとつから、各アンテナ１２に対応したデータを送信する。使用すべきアンテナ１２の数が「２」である場合、図３（ａ）から（ｃ）での「第１データ」と「第２データ」に相当する。データの送信に使用すべきアンテナ１２の数は、制御部３０によって指示されるものとする。さらに、処理部２２は、図３（ａ）のような「Ｌｅｇａｃｙ  ＳＴＳ」等のデータ以外の信号も付加する。また、データの送信に使用すべきアンテナ１２の数が「４」になれば、図３（ａ）−（ｃ）に示されていない「第３データ」と「第４データ」が付加される。このようなデータは、可変データレートに対応した第２無線装置１０ｂに送信される。制御部３０は、第２無線装置１０ｂでのレート情報を第２無線装置１０ｂに提供させるための要求信号を生成する。さらに、制御部３０は、生成した要求信号を変復調部２４に出力する。ここで、要求信号は、図３（ａ）−（ｃ）の「第１データ」や「第２データ」に割り当てられる。
【００６６】
以上の説明に対応して、要求信号やトレーニング信号を受信する場合を説明する。制御部３０は、受信したトレーニング信号にもとづいて、レート情報を生成する。レート情報の生成方法は、任意のものでよい。例えば、無線部２０において受信した信号の信号強度を測定し、測定した信号強度をしきい値と比較することによって、レート情報を生成してもよい。あるいは、処理部２２において導出した受信ウエイトベクトルにもとづいて、レート情報を生成してもよい。さらに、変復調部２４において復調した結果にもとづいて、レート情報を生成してもよい。決定したレート情報は、変復調部２４、処理部２２、無線部２０を介して送信されるとともに、レート情報管理部３２に保持される。また、レート情報管理部３２は、通信対称の無線装置１０におけるレート情報も保持する。
【００６７】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００６８】
図８は、第１処理部２２ａの構成を示す。第１処理部２２ａは、ＦＦＴ（Ｆａｓｔ  Ｆｏｕｒｉｅｒ  Ｔｒａｎｓｆｏｒｍ）部４０、合成部４２、参照信号生成部４４、受信ウエイトベクトル計算部５４、分離部４６、送信ウエイトベクトル計算部５２、ＩＦＦＴ部４８、プリアンブル付加部５０を含む。また、合成部４２は、乗算部５６と総称される第１乗算部５６ａ、第２乗算部５６ｂ、第４乗算部５６ｄ、加算部６０を含む。また、分離部４６は、乗算部５８と総称される第１乗算部５８ａ、第２乗算部５８ｂ、第４乗算部５８ｄを含む。
【００６９】
ＦＦＴ部４０は、複数の時間領域信号２００を入力し、それぞれに対してフーリエ変換を実行して、周波数領域の信号を導出する。前述のごとく、ひとつの周波数領域の信号は、サブキャリア番号の順に、サブキャリアに対応した信号をシリアルに並べている。
【００７０】
乗算部５６は、受信ウエイトベクトル計算部５４からの受信ウエイトベクトルによって、周波数領域の信号を重み付けし、加算部６０は乗算部５６の出力を加算する。ここで、周波数領域の信号は、サブキャリア番号の順に配置されているので、受信ウエイトベクトル計算部５４からの受信ウエイトベクトルもそれに対応するように配置されている。すなわち、ひとつの乗算部５６は、サブキャリア番号の順に配置された受信ウエイトベクトルを逐次入力する。そのため、加算部６０は、サブキャリア単位で、乗算結果を加算する。その結果、加算された信号も、図７のごとく、サブキャリア番号の順にシリアルに並べられている。また、加算された信号が、前述の周波数領域信号２０２である。
【００７１】
なお、以下の説明においても、処理対象の信号が周波数領域に対応している場合、処理は、基本的にサブキャリアを単位にして実行される。ここでは、説明を簡潔にするために、ひとつのサブキャリアにおける処理を説明する。そのため、複数のサブキャリアに対する処理には、ひとつのサブキャリアにおける処理をパラレルあるいはシリアルに実行することによって、対応される。
【００７２】
参照信号生成部４４は、「Ｌｅｇａｃｙ  ＳＴＳ」、「Ｌｅｇａｃｙ  ＬＴＳ」、「第１ＭＩＭＯ−ＳＴＳ」、「第１ＭＩＭＯ−ＬＴＳ」期間中は予め記憶した「Ｌｅｇａｃｙ  ＳＴＳ」、「Ｌｅｇａｃｙ  ＬＴＳ」、「第１ＭＩＭＯ−ＳＴＳ」、「第１ＭＩＭＯ−ＬＴＳ」を参照信号として出力する。またこれらの期間以外は、予め規定しているしきい値によって、周波数領域信号２０２を判定し、その結果を参照信号として出力する。なお、判定は硬判定でなく、軟判定でもよい。
【００７３】
受信ウエイトベクトル計算部５４は、ＦＦＴ部４０からの周波数領域の信号、周波数領域信号２０２、参照信号にもとづいて、受信ウエイトベクトルを導出する。受信ウエイトベクトルの導出方法は、任意のものでよく、そのひとつはＬＭＳ（Ｌｅａｓｔ  Ｍｅａｎ  Ｓｑｕｅａｒｅ）アルゴリズムによる導出である。また、受信ウエイトベクトルは、相関処理によって導出されてもよい。その際、周波数領域の信号と参照信号は、第１処理部２２ａからだけではなく、図示しない信号線によって、第２処理部２２ｂ等からも入力されるものとする。第１処理部２２ａにおける周波数領域の信号をｘ１（ｔ）、第２処理部２２ｂにおける周波数領域の信号をｘ２（ｔ）と示し、第１処理部２２ａにおける参照信号をＳ１（ｔ）、第２処理部２２ｂにおける参照信号をＳ２（ｔ）と示せば、ｘ１（ｔ）とｘ２（ｔ）は、次のように示される。
【００７４】
【数１】
2006319473.tif 000003
ここで、雑音は無視する。第１の相関行列Ｒ１は、Ｅをアンサンブル平均として、次のように示される。
【数２】
2006319473.tif 000004
参照信号間の第２の相関行列Ｒ２は、次のように計算される。
【００７５】
【数３】
2006319473.tif 000005
最終的に、第２の相関行列Ｒ２の逆行列と第１の相関行列Ｒ１を乗算することによって、受信応答ベクトルが導出される。
【数４】
2006319473.tif 000006
さらに、受信ウエイトベクトル計算部５４は、受信応答ベクトルから受信ウエイトベクトルを計算する。
【００７６】
送信ウエイトベクトル計算部５２は、受信ウエイトベクトルから、周波数領域信号２０２の重み付けに必要な送信ウエイトベクトルを推定する。送信ウエイトベクトルの推定方法は、任意とするが、最も簡易な方法として、受信ウエイトベクトルをそのまま使用すればよい。あるいは、受信処理と送信処理との時間差によって生じる伝搬環境のドップラー周波数変動を考慮し、従来の技術によって、受信ウエイトベクトルを補正してもよい。なお、ここでは、受信ウエイトベクトルをそのまま送信ウエイトベクトルに使用するものとする。
【００７７】
乗算部５８は、送信ウエイトベクトルによって、周波数領域信号２０２を重み付けし、その結果をＩＦＦＴ部４８に出力する。また、ＩＦＦＴ部４８は、乗算部５８からの信号に対して逆フーリエ変換を実行して、時間領域の信号に変換する。プリアンブル付加部５０は、図３（ａ）−（ｃ）のごとく、パケット信号の先頭部分に、プリアンブルを付加する。ここでは、「Ｌｅｇａｃｙ  ＳＴＳ」、「Ｌｅｇａｃｙ  ＬＴＳ」、「第１ＭＩＭＯ−ＳＴＳ」、「第１ＭＩＭＯ−ＬＴＳ」を付加する。プリアンブル付加部５０は、プリアンブルを付加した信号を時間領域信号２００として出力する。プリアンブル付加部５０は、乗算部５８の前段に備えられてもよい。すなわち、周波数領域おいて、プリアンブルが付加されてもよい。なお、以上の動作は、図６の制御部３０によって制御されるものとする。図８において、第１時間領域信号２００ａ等は、２カ所に示されている。これらは、ひとつの方向の信号であり、これらが、図６における双方向の信号である第１時間領域信号２００ａ等に対応する。
【００７８】
図９は、第１変復調部２４ａの構成を示す。第１変復調部２４ａは、同期検波部７０、第１デインターリーブ部７２、第２デインターリーブ部７４、復号部７６、パイロット挿入部７８、マッピング部８０、第１インターリーブ部８２、第２インターリーブ部８４、符号化部８６を含む。
【００７９】
符号化部８６は、図３（ａ）−（ｃ）のＬｅｇａｃｙシグナル、ＭＩＭＯシグナル、データの部分において、符号化を実行する。符号化における符号化率は、前述のごとく、Ｌｅｇａｃｙシグナル、ＭＩＭＯシグナルに対して固定であるが、データに対して可変である。第１インターリーブ部８２は、Ｌｅｇａｃｙシグナルの非既知信号に対して、インターリーブを実行する。すなわち、「４８」のサブキャリアに配置されるべき非既知信号に対するインターリーブが実行される。インターリーブに対する規則は、公知の技術、例えば、ＩＥＥＥ８０２．１１ａ、ｇの規格と同様であればよいので、説明を省略する。第２インターリーブ部８４は、ＭＩＭＯシグナル、データの非既知信号に対して、インターリーブを実行する。すなわち、「５２」のサブキャリアに配置される非既知信号に対するインターリーブが実行される。第２インターリーブ部８４によってインターリーブの対象とされるサブキャリア数は、第１インターリーブ部８２によってインターリーブの対象とされるサブキャリア数よりも大きくなっている。
【００８０】
マッピング部８０は、第１インターリーブ部８２からの出力信号、あるいは第２インターリーブ部８４からの出力信号をマッピングする。前述のごとく、マッピング部８０は、ＢＰＳＫ、ＱＰＳＫ、１６ＱＡＭ等に対応したマッピングを実行する。パイロット挿入部７８は、サブキャリア番号「−２１」、「−７」、「７」、「２１」のサブキャリアにパイロット信号を挿入する。なお、パイロット信号の挿入は、前述のごとく、Ｌｅｇａｃｙシグナル、データに対してなされる。
【００８１】
同期検波部７０は、周波数領域信号２０２に対して同期検波を実行する。その際、パケット信号のうち、Ｌｅｇａｃｙシグナル、データに挿入されたパイロット信号が、抽出される。第１デインターリーブ部７２は、Ｌｅｇａｃｙシグナルの非既知信号に対して、デインターリーブを実行する。すなわち、「４８」のサブキャリアに配置されるべき非既知信号に対するデインターリーブが実行される。第２デインターリーブ部７４は、ＭＩＭＯシグナル、データの非既知信号に対して、デインターリーブを実行する。すなわち、「５２」のサブキャリアに配置される非既知信号に対するデインターリーブが実行される。第２デインターリーブ部７４によってデインターリーブの対象とされるサブキャリア数は、第１デインターリーブ部７２によってデインターリーブの対象とされるサブキャリア数よりも大きくなっている。復号部７６は、第１デインターリーブ部７２からの信号、あるいは第２デインターリーブ部７４からの信号を復号する。例えば、復号部７６は、ビタビ復号器によって構成される。
【００８２】
以上の構成による通信システム１００の動作を説明する。送信動作として、符号化部８６は、Ｌｅｇａｃｙシグナルの非既知信号およびＭＩＭＯシグナルを符号化する。また、符号化部８６は、データの非既知信号を符号化する。データの非既知信号に対する符号化率は、Ｌｅｇａｃｙシグナルの非既知信号およびＭＩＭＯシグナルに対する符号化率と異なっていてもよい。第１インターリーブ部８２は、Ｌｅｇａｃｙシグナルの非既知信号に対して、インターリーブを実行する。第２インターリーブ部８４は、ＭＩＭＯシグナル、データの非既知信号に対して、インターリーブを実行する。パイロット挿入部７８は、Ｌｅｇａｃｙシグナルとデータにパイロット信号を挿入する。乗算部５８は、送信ウエイトベクトル計算部５２からの送信ウエイトベクトルによって、データを重み付けし、ＩＦＦＴ部４８は、Ｌｅｇａｃｙシグナル、ＭＩＭＯシグナル、データに対して、ＩＦＦＴを実行する。プリアンブル付加部５０は、Ｌｅｇａｃｙ  ＳＴＳ等を付加する。
【００８３】
受信動作として、ＦＦＴ部４０は、ＦＦＴを実行する。合成部４２によって、アレイ合成を実行する。同期検波部７０は、Ｌｅｇａｃｙシグナル、データに含まれたパイロット信号を抽出しつつ、同期検波を実行する。第１デインターリーブ部７２は、Ｌｅｇａｃｙシグナルの非既知信号に対して、デインターリーブを実行する。第２デインターリーブ部７４は、ＭＩＭＯシグナル、データの非既知信号に対して、デインターリーブを実行する。復号部７６は、Ｌｅｇａｃｙシグナルの非既知信号およびＭＩＭＯシグナルを復号する。また、復号部７６は、データの非既知信号を復号する。
【００８４】
ここで、本実施例の変形例を説明する。変形例は、第１無線装置や第２無線装置での送信機能を有した送信装置に関する。さらに、実施例と同様のパケット信号を送信する。送信装置は、複数のアンテナの数に応じた複数の系列のパケット信号を送信し、複数のＭＩＭＯ−ＳＴＳを複数の系列のパケット信号に配置させる。また、送信装置は、複数のＭＩＭＯ−ＳＴＳに続いて、複数のＭＩＭＯ−ＬＴＳを複数の系列のパケット信号に配置させる。さらに、送信装置は、複数の系列のパケット信号のうちの一部にデータを配置させる。送信装置は、データにステアリング行列を乗算することによって、複数の系列の数までデータを増加させる。また、送信装置は、ＭＩＭＯ−ＬＴＳに対してもステアリング行列を乗算する。しかしながら、送信装置は、ＭＩＭＯ−ＳＴＳに対してステアリング行列を乗算しない。以下、ステアリング行列を乗算した複数の系列のパケット信号も、これまでと区別せずに、「複数の系列のパケット信号」という。
【００８５】
ここで、ＭＩＭＯ−ＳＴＳは、所定の周期を有している。具体的には、１．６μｓの周期の信号にガードインターバルが付加されている。なお、前述のステアリング行列には、系列単位に、循環的なタイムシフトを実行させる成分が含まれている。循環的なタイムシフトは、ＣＤＤ（Ｃｙｃｌｉｃ  Ｄｅｌａｙ  Ｄｉｖｅｒｓｉｔｙ）と呼ばれるものであり、ここでは、ＭＩＭＯ−ＬＴＳに含まれるパターンの周期に対して、循環的なタイムシフトがなされる。データに対しても同様の処理がなされる。また、タイムシフト量は、複数の系列のパケット信号を単位にして異なっているが、これらのタイムシフト量のうちの少なくともひとつは、ＭＩＭＯ−ＳＴＳでの周期以上に規定されている。以上の処理のごとく、送信装置は、複数の系列のパケット信号を変形させ、変形させた複数の系列のパケット信号を複数のアンテナからそれぞれ送信する。
【００８６】
以上のような変形例に対応した課題は、以下のように示されてもよい。すなわち、通信対象の無線装置における伝送路推定の精度が向上するようなパケットフォーマットによって、送信を実行したい。また、通信対象の無線装置におけるレート情報の精度が向上するようなパケットフォーマットによって、送信を実行したい。また、このようなトレーニング信号を送信する場合であっても、データの通信品質の悪化を抑えるようなパケットフォーマットによって、データを送信したい。
【００８７】
図１０は、本発明の変形例に係る送信装置３００の構成を示す。送信装置３００は、誤り訂正部３１０、インターリーブ部３１２、変調部３１４、プリアンブル付加部３１６、空間分散部３１８、無線部２０と総称される第１無線部２０ａ、第２無線部２０ｂ、第３無線部２０ｃ、第４無線部２０ｄ、アンテナ１２と総称される第１アンテナ１２ａ、第２アンテナ１２ｂ、第３アンテナ１２ｃ、第４アンテナ１２ｄを含む。ここで、図１０の送信装置３００は、図６の第１無線装置１０ａの一部に相当する。
【００８８】
誤り訂正部３１０は、誤り訂正のための符号化をデータに行う。誤り訂正部３１０は、図９の符号化部８６に対応する。ここでは、畳込み符号化を行うものとし、その符号化率は予め規定された値の中から選択する。インターリーブ部３１２は、畳込み符号化したデータをインターリーブする。さらに、インターリーブ部３１２は、データを複数の系列に分離してから出力する。ここでは、ふたつの系列に分離する。ふたつの系列のデータは、互いに独立したデータといえる。また、インターリーブ部３１２には、図９の第１インターリーブ部８２、第２インターリーブ部８４が含まれているものとする。
【００８９】
変調部３１４は、ふたつの系列のデータのそれぞれに対して、変調を実行する。変調部３１４は、図９のマッピング部８０、パイロット挿入部７８に対応する。プリアンブル付加部３１６は、変調されたデータに対してプリアンブルを付加する。そのため、プリアンブル付加部３１６は、プリアンブルとして、ＭＩＭＯ−ＳＴＳ、ＭＩＭＯ−ＬＴＳ等を記憶する。プリアンブル付加部３１６は、複数の系列にそれぞれ配置されるＭＩＭＯ−ＳＴＳとＭＩＭＯ−ＬＴＳと、複数の系列のうちの少なくともひとつに配置されるデータとを含んだ複数の系列のパケット信号を生成する。前述のごとく、データは、ふたつの系列によって形成されている。ここで、複数の系列を「４」とするので、４つの系列のパケット信号に、ＭＩＭＯ−ＳＴＳとＭＩＭＯ−ＬＴＳがそれぞれ配置され、４つの系列のパケット信号のうちのふたつにデータが配置される。その結果、プリアンブル付加部３１６からは、４つの系列のパケット信号が出力される。
【００９０】
ここで、ＭＩＭＯ−ＳＴＳの詳細については、説明を省略するが、例えば、少なくとも、複数の系列のパケット信号のうちのひとつに対応したＳＴＳは、他の系列のパケットに対応したＳＴＳに対して、少なくとも一部が異なったサブキャリアを使用するように規定されてもよい。また、ＳＴＳは、ＳＴＳのそれぞれに使用されるべきサブキャリアの数が等しく、かつ互いに異なったサブキャリアを使用するように規定されてもよい。また、前述のごとく、複数の系列のパケット信号のそれぞれは、複数のサブキャリアを使用しており、複数の系列のパケット信号に配置されるＭＩＭＯ−ＬＴＳは、各系列に対して、異なったサブキャリアを使用する。すなわち、トーン・インターリーブがなされる。
【００９１】
空間分散部３１８は、複数の系列のパケット信号のうち、ＭＩＭＯ−ＬＴＳとデータに対してステアリング行列をそれぞれ乗算することによって、ステアリング行列が乗算されたＭＩＭＯ−ＬＴＳと、複数の系列の数まで増加させたデータとを生成する。ここで、空間分散部３１８は、乗算を実行する前に、入力したデータの次数を複数の系列の数まで拡張する。入力したデータの数は、「２」であり、ここでは、「Ｎｉｎ」によって代表させる。そのため、入力したデータは、「Ｎｉｎ×１」のベクトルによって示される。また、複数の系列の数は、「４」であり、ここでは、「Ｎｏｕｔ」によって代表させる。空間分散部３１８は、入力したデータの次数をＮｉｎからＮｏｕｔに拡張させる。すなわち、「Ｎｉｎ×１」のベクトルを「Ｎｏｕｔ×１」のベクトルに拡張させる。その際、Ｎｉｎ＋１行目からＮｏｕｔ行目までの成分に「０」を挿入する。
【００９２】
また、ステアリング行列Ｓは、次のように示される。
【数５】
2006319473.tif 000007
ステアリング行列は、「Ｎｏｕｔ×Ｎｏｕｔ」の行列である。また、Ｗは、直交行列であり、「Ｎｏｕｔ×Ｎｏｕｔ」の行列である。直交行列の一例は、ウォルシュ行列である。ここで、ｌは、サブキャリア番号を示しており、ステアリング行列による乗算は、サブキャリアを単位にして実行される。さらに、Ｃは、以下のように示され、ＣＤＤのために使用される。
【数６】
2006319473.tif 000008
【００９３】
ここで、δは、シフト量を示す。すなわち、空間分散部３１８は、複数の系列のそれぞれに対応したシフト量によって、直交行列が乗算されたＭＩＭＯ−ＬＴＳ内での循環的なタイムシフトを系列単位に実行しつつ、複数の系列の数まで増加させたデータ内での循環的なタイムシフトを系列単位に実行する。なお、ＭＩＭＯ−ＬＴＳの構造は、ＩＥＥＥ８０２．１１ａ規格におけるＬＴＳであるＬｅｇａｃｙ  ＬＴＳと同様の構造を有している。また、シフト量は、系列を単位にして異なった値に設定される。その際に、複数の系列のそれぞれに対応したシフト量のうちの少なくともひとつが、ＭＩＭＯ−ＳＴＳが有した所定の周期以上となるように設定される。ＭＩＭＯ−ＳＴＳが有した周期は、１．６μｓであるので、シフト量のうちの少なくともひとつは、例えば１．６μｓとなるように設定される。そのような場合、ＭＩＭＯ−ＳＴＳに対して、タイムシフトを行っても、シフトが発生しないことと等価になる。そのため、ここでは、ＭＩＭＯ−ＳＴＳに対して、タイムシフトを行わない。以上の処理の結果、空間分散部３１８は、複数の系列のパケット信号を変形させる。
【００９４】
無線部２０は、アンテナ１２と同一の数だけ設けられる。無線部２０は、変形された複数の系列のパケット信号を送信する。その際、無線部２０は、変形された複数の系列のパケット信号を複数のアンテナ１２に対応させながら送信する。また、無線部２０は、図示しないＩＦＦＴ部、ＧＩ部、直交変調部、周波数変換部、増幅部を含む。ＩＦＦＴ部は、ＩＦＦＴを行い、複数のサブキャリアキャリアを使用した周波数領域の信号を時間領域に変換する。ＧＩ部は、時間領域のデータに対して、ガードインターバルを付加する。直交変調部は、直交変調を実行する。周波数変換部は、直交変調された信号を無線周波数の信号に周波数変換する。増幅部は、無線周波数の信号を増幅するパワーアンプである。なお、空間分散部３１８は、図示しないＩＦＦＴ部の後段に設けられてもよい。
【００９５】
図１１（ａ）−（ｂ）は、送信装置３００において生成されるパケット信号のパケットフォーマットを示す。ここでは、特に、トレーニング信号を対象として説明するが、それ以外のパケット信号も同様の処理がなされればよい。図１１（ａ）は、プリアンブル付加部３１６から出力される複数の系列のパケット信号におけるパケットフォーマットを示す。図１１（ａ）は、図３（ｂ）と同等であるので、説明を省略する。ここで、複数の系列である「４」つの系列のパケット信号のそれぞれに「４」つのＭＩＭＯ−ＳＴＳと「４」つのＭＩＭＯ−ＬＴＳが付加されている。一方、複数の系列のうちの少なくともひとつである「２」つの系列のデータが、「第１データ」、「第２データ」として付加されている。図１１（ｂ）は、空間分散部３１８によって変形された複数の系列のパケット信号を示す。ＭＩＭＯ−ＳＴＳは、図１１（ａ）と同一である。図１１（ａ）のＭＩＭＯ−ＬＴＳは、ステアリング行列の乗算の結果、「ＭＩＭＯ−ＬＴＳ’」となる。図１１（ｂ）では、これを「第１ＭＩＭＯ−ＬＴＳ’」から「第４ＭＩＭＯ−ＬＴＳ’」として示す。図１１（ａ）の「第１データ」と「第２データ」は、ステアリング行列の乗算の結果、４つの系列のデータとなる。図１１（ｂ）では、これを「第１データ’」から「第４データ’」として示す。
【００９６】
さらに、別の実施例を説明する。変形例においては、ＬｅｇａｃｙシグナルとＭＩＭＯシグナルとの信号点配置が異なっている。図１２（ａ）−（ｄ）は、図３（ａ）−（ｃ）のバーストフォーマットに含まれた信号のコンスタレーションを示す。図１２（ａ）は、ＭＩＭＯシグナルに対するコンスタレーションを示す。図示のごとく、ＭＩＭＯシグナルの変調方式は、ＢＰＳＫに対応しており、さらにその信号点は、直交成分が「＋１」あるいは「−１」となるように規定されている。すなわち、同相成分は「０」になるように規定されている。図１２（ｂ）は、Ｌｅｇａｃｙシグナルやデータに対するコンスタレーションを示す。図示のごとく、Ｌｅｇａｃｙシグナルやデータに対するコンスタレーションもＢＰＳＫに対応しているが、同相成分が「＋１」あるいは「−１」となるように規定されており、直交成分が「０」になるように規定されている。なお、データは変調方式が適宜切りかえられており、ＢＰＳＫの他にＱＰＳＫ、１６ＱＡＭ、６４ＱＡＭが使用される場合もある。図１２（ｃ）は、データに対するコンスタレーションであって、変調方式がＱＰＳＫである場合を示す。また、図１２（ｄ）は、データに対するコンスタレーションであって、変調方式が１６ＱＡＭである場合を示す。
【００９７】
図９のマッピング部８０や図１０の変調部３１４は、以上のようにマッピングを実行する。これに対応して、図９の同期検波部７０に、図示しない判定部が付加される。判定部では、Ｌｅｇａｃｙシグナルの後段にＭＩＭＯシグナルが配置されているかを判定する。ここで、判定は、前述のごとく、ＬｅｇａｃｙシグナルとＭＩＭＯシグナルとの信号点の配置の相違を利用する。すなわち、ＬｅｇａｃｙシグナルとＭＩＭＯシグナルは、信号点に対する同相成分と直交成分の値が異なっており、これらの違いを検出することによって、判定部は、ＬｅｇａｃｙシグナルとＭＩＭＯシグナルとを判別できる。
【００９８】
本発明の実施例によれば、ＭＩＭＯシグナルにおいて、非既知信号に対応したサブキャリアの数が、Ｌｅｇａｃｙシグナルのうちの非既知信号に対応したサブキャリアの数よりも大きくなるように、パイロット信号を挿入するので、Ｌｅｇａｃｙシグナルにおける伝送効率よりも、ＭＩＭＯシグナルにおける伝送効率を向上できる。また、ＬｅｇａｃｙシグナルとＭＩＭＯシグナルに使用するサブキャリアの数が同一であっても、ＭＩＭＯシグナルの伝送効率を高くできる。また、ＭＩＭＯシグナルの後段に、ＭＩＭＯプリアンブルを配置するので、伝送品質の悪化を抑制できる。また、ＭＩＭＯシグナルにおいて、非既知信号に対応したサブキャリアの数が、データのうちの非既知信号に対応したサブキャリアの数と等しくなるように、パイロット信号を挿入するので、ＭＩＭＯシグナルよりも多くのサブキャリアを使用しているデータと同じ数のサブキャリアにて非既知信号を伝送でき、伝送効率を向上できる。また、ＭＩＭＯシグナルとデータに対して、同一のインターリーブ部を使用できる。また、同一のインターリーブ部を使用するので、回路規模の増加を抑制できる。
【００９９】
また、データの系列の数がＭＩＭＯ−ＬＴＳの系列の数よりも少なくても、直交行列による乗算と循環的なタイムシフト処理を実行するので、データの系列の数をＭＩＭＯ−ＬＴＳの系列の数に一致できる。また、ＭＩＭＯ−ＬＴＳにも、データ系列と同様の処理を実行するので、通信対象となる無線装置に、データ受信の際に、ＭＩＭＯ−ＬＴＳを使用させられる。また、ＭＩＭＯ−ＳＴＳには、データ系列と同様の処理を実行しないので、ＣＤＤにおけるタイムシフト量を大きくでき、通信対象となる無線装置における受信特性を改善できる。また、ＭＩＭＯ−ＬＴＳをすべてのアンテナから送信するので、受信側が、想定される伝送路を推定できる。また、データの系列の数がアンテナ数に等しくなくても、データにウォルシュ行列とＣＤＤによる処理を実行することによって、すべてのアンテナから満遍なく信号を送信できる。また、データの電力をＭＩＭＯ−ＬＴＳに合わせることができる。
【０１００】
また、ＭＩＭＯ−ＬＴＳにもウォルシュ行列とＣＤＤによる処理を実行するので、受信側において、ＭＩＭＯ−ＬＴＳによって推定した伝送路がデータの受信にそのまま使用できる。また、ＭＩＭＯ−ＬＴＳとデータに対して、十分大きなシフト量によって、ＣＤＤを実行すると、ＭＩＭＯ−ＬＴＳとデータの電力差が非常に小さくなるので、受信側でのＡＧＣの設定の精度を向上できる。また、ＭＩＭＯ−ＳＴＳに大きなシフト量によるタイムシフトが実行できないので、かかる場合に、ＭＩＭＯ−ＳＴＳをすべてのアンテナに対応付けることによって、ＭＩＭＯ−ＳＴＳとＭＩＭＯ−ＬＴＳとの電力を合わせることができる。また、ＭＩＭＯ−ＳＴＳに対して、ＣＤＤの処理を実行しなくても、ＭＩＭＯ−ＳＴＳとＭＩＭＯ−ＬＴＳの電力を合わせることができる。また、ＭＩＭＯ−ＬＴＳはトーン・インターリーブされているので、ウォルシュ行列とＣＤＤによる処理によって、すべてのアンテナからＭＩＭＯ−ＬＴＳを送信する場合であっても、送信電力を維持できる。また、ウォルシュ行列とＣＤＤによる処理を行わない場合、３つのアンテナで２つの系列のデータを送信する場合、パケット信号内の各電力は、「３つのＳＴＳ」＝「３つのＬＴＳ」＞「２つのデータ」であるが、ＭＩＭＯ−ＬＴＳとデータに対してウォルシュ行列とＣＤＤによる処理を行う場合、「３つのＳＴＳ」＝「３つのＬＴＳ」＝「３つのデータ」にできる。
【０１０１】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【０１０２】
本発明の実施例において、第２インターリーブ部８４は、ＭＩＭＯシグナルと、データの非既知信号に対するインターリーブを実行し、第２デインターリーブ部７４は、ＭＩＭＯシグナルと、データの非既知信号に対するインターリーブを実行している。しかしながらこれに限らず例えば、第１インターリーブ部８２が、Ｌｅｇａｃｙシグナルの非既知信号と、ＭＩＭＯシグナルに対するインターリーブを実行し、第１デインターリーブ部７２が、Ｌｅｇａｃｙシグナルの非既知信号と、ＭＩＭＯシグナルに対するデインターリーブを実行してもよい。詳細に説明すると、第１インターリーブ部８２は、ＭＩＭＯシグナルのうち、Ｌｅｇａｃｙシグナルでの非既知信号に対応した部分に対して、インターリーブを実行する。ここで、「ＭＩＭＯシグナルのうち、Ｌｅｇａｃｙシグナルでの非既知信号に対応した部分」とは、Ｌｅｇａｃｙシグナルでの非既知信号が配置された「４８」サブキャリアを示す。
【０１０３】
また、第１インターリーブ部８２は、ＭＩＭＯシグナルのうち、Ｌｅｇａｃｙシグナルでの非既知信号に対応していない部分に対して、Ｌｅｇａｃｙシグナルのうちのパイロット信号に対応すべきサブキャリアへの配置を実行する。また、第１デインターリーブ部７２は、ＭＩＭＯシグナルのうち、Ｌｅｇａｃｙシグナルでの非既知信号に対応した部分に対して、デインターリーブを実行する。また、第１デインターリーブ部７２は、ＭＩＭＯシグナルのうち、Ｌｅｇａｃｙシグナルでの非既知信号に対応していない部分に対して、デインターリーブを実行した部分との合成を実行する。変形例によれば、Ｌｅｇａｃｙシグナル、ＭＩＭＯシグナルのように、パケット信号の連続した部分に対して、同一のインターリーブ部とデインターリーブ部を使用できるので、信号の途中での切りかえを省略できる。つまり、ＭＩＭＯシグナルに対するインターリーブとデインターリーブに対して、既に備えられているインターリーブ部とデインターリーブ部が使用されればよい。
【０１０４】
本発明の実施例において、ＭＩＭＯシグナルが、複数のシンボルに配置されてもよく、ひとつのシンボルに配置されてもよい。その際、変復調部２４は、すべてのサブキャリアにおいて、ＭＩＭＯシグナルを図１２（ａ）のようにマッピングしてもよい。本変形例によれば、ＭＩＭＯシグナルのシンボル数にかかわらず、信号点配置によって、ＭＩＭＯシグナルの配置を検出できる。
【０１０５】
本発明の実施例において、ＭＩＭＯシグナルには、パイロット信号が挿入されないとしている。しかしながらこれに限らず例えば、ＭＩＭＯシグナルとして、複数のシンボルが配置されるとき、後部のシンボルにパイロット信号が挿入されないとしてもよい。すなわち、複数のシンボルのうち、前部のシンボルには、パイロット信号が挿入されてもよい。例えば、複数のシンボルが「２」シンボルであるとき、前のシンボルには、パイロットが挿入され、後ろのシンボルには、パイロットが挿入されない。複数のシンボルが「２」以上であるとき、「前部」と「後部」に対応するシンボル数は、適宜決定されればよい。なお、パイロット信号は、Ｌｅｇａｃｙシグナルと同一のサブキャリアに挿入されればよい。また、ＭＩＭＯシグナルのうち、前部のシンボルには、Ｌｅｇａｃｙシンボルと同様の処理がなされればよい。本変形例によれば、伝送品質を改善できる。
【０１０６】
さらに、パイロット挿入部７８は、複数のシンボルに配置されたＭＩＭＯシグナルのうち、少なくとも前部のシンボルにおいて、Ｌｅｇａｃｙシグナルに挿入すべきパイロット信号と異なったパイロット信号を挿入してもよい。例えば、パイロット信号の位相を異なるように設定してもよい。例えば、ＭＩＭＯシグナルのパイロット信号とＬｅｇａｃｙシグナルのパイロット信号は、図１２（ａ）−（ｂ）の関係を有していてもよいし、同じ信号点配置であるが位相のみが１８０度異なるように設定してもよい。本変形例によれば、パイロット信号の値に応じて、ＭＩＭＯシグナルであるかを通知できる。つまり、ＭＩＭＯシグナルでの伝送効率が改善されればよい。また、ＭＩＭＯシグナルのパイロット信号とＬｅｇａｃｙシグナルのパイロット信号は、同じ信号点配置であり、ＭＩＭＯシグナルの非既知信号とＬｅｇａｃｙシグナルの非既知信号が、異なった信号点配置であってもよい。例えば、ＭＩＭＯシグナルの非既知信号とＬｅｇａｃｙシグナルの非既知信号は、図１２（ａ）−（ｂ）の関係を有していてもよい。この場合、ＭＩＭＯシグナルのパイロット信号とＬｅｇａｃｙシグナルのパイロット信号が同じ信号点配置であっても、ＭＩＭＯシグナルを検出できる。さらに、ＭＩＭＯシグナルのパイロット信号とＬｅｇａｃｙシグナルのパイロット信号は同じ信号点配置であるが位相のみが１８０度異なるように設定され、かつ、ＭＩＭＯシグナルの非既知信号とＬｅｇａｃｙシグナルの非既知信号は、図１２（ａ）−（ｂ）の関係を有していてもよい。この場合、ＭＩＭＯシグナルの検出精度が向上する。
【０１０７】
本発明の実施例において、Ｌｅｇａｃｙ  ＳＴＳ等は、ひとつのアンテナ１２から送信されている。しかしながらこれに限らず例えば、Ｌｅｇａｃｙ  ＳＴＳ等に対しても、ＣＤＤを実行することによって、Ｌｅｇａｃｙ  ＳＴＳ等は、複数のアンテナ１２から送信されてもよい。本変形例によれば、パケット信号全体での電力差を小さくできる。
【０１０８】
本発明の実施例において、第１無線装置１０ａは、トレーニング信号を送信する際に使用すべきアンテナ１２の本数と、トレーニング信号を受信する際に使用すべきアンテナ１２の本数とを同一になるように制御している。しかしながらこれに限らず例えば、これらが異なるように制御を行ってもよい。すなわち、処理部２２は、複数のアンテナ１２によって、第２無線装置１０ｂから、受信用のトレーニング信号を受信し、選択部２８は、複数のアンテナ１２のうち、トレーニング信号を送信すべき少なくともひとつのアンテナ１２を選択する。その際、選択部２８は、受信した受信用のトレーニング信号をもとに、複数のアンテナ１２のそれぞれに対応した無線品質を導出し、無線品質のよいアンテナ１２を優先的に選択してもよい。本変形例によれば、送信用のアンテナ１２の本数と、受信用のアンテナ１２の本数を独立に設定できる。
【図面の簡単な説明】
【０１０９】
【図１】本発明の実施例に係るマルチキャリア信号のスペクトルを示す図である。
【図２】本発明の実施例に係る通信システムの構成を示す図である。
【図３】図３（ａ）−（ｃ）は、図２の通信システムでのパケットフォーマットの構成を示す図である。
【図４】図２の通信システムでの通信手順を示すシーケンス図である。
【図５】図２の通信システムでの別の通信手順を示すシーケンス図である。
【図６】図２の第１無線装置の構成を示す図である。
【図７】図６における周波数領域の信号の構成を示す図である。
【図８】図６の第１処理部の構成を示す図である。
【図９】図６の第１変復調部の構成を示す図である。
【図１０】本発明の変形例に係る送信装置の構成を示す図である。
【図１１】図１１（ａ）−（ｂ）は、図１０の送信装置において生成されるパケット信号のパケットフォーマットを示す図である。
【図１２】図１２（ａ）−（ｄ）は、図３（ａ）−（ｃ）のバーストフォーマットに含まれた信号のコンスタレーションを示す図である。
【符号の説明】
【０１１０】
１０  無線装置、  １２  アンテナ、  １４  アンテナ、  ２０  無線部、  ２２  処理部、  ２４  変復調部、  ２６  ＩＦ部、  ３０  制御部、  ３２  レート情報管理部、  ７０  同期検波部、  ７２  第１デインターリーブ部、  ７４  第２デインターリーブ部、  ７６  復号部、  ７８  パイロット挿入部、  ８０  マッピング部、  ８２  第１インターリーブ部、  ８４  第２インターリーブ部、  ８６  符号化部、  １００  通信システム。
【図１】
2006319473.tif 000009
【図２】
2006319473.tif 000010
【図３】
2006319473.tif 000011
【図４】
2006319473.tif 000012
【図５】
2006319473.tif 000013
【図６】
2006319473.tif 000014
【図７】
2006319473.tif 000015
【図８】
2006319473.tif 000016
【図９】
2006319473.tif 000017
【図１０】
2006319473.tif 000018
【図１１】
2006319473.tif 000019
【図１２】
2006319473.tif 000020